(57)【要約】      （修正有）【課題】設置や設置場所の選定に熟練技術を必要とせず、野生動物の捕獲率を向上させると共に、その設置作業も容易にする猿、猪等を捕る括り罠を提供する。【解決手段】紐又は棒の一端に取付けられたエサ部分と、先端部が締め込み可能な環状の括り輪７となっており、この括り輪７はエサ部分の外周に位置するように配置され、他端は立木等に縛りつけられる括りワイヤ６と、固定部と移動部を有するバネが蓄勢された状態で係止され、移動部の先端部近傍に括りワイヤ６の括り輪７近傍が取付けられたバネ機構と、バネ機構の固定部近傍にバネの蓄勢状態を解除しないように係止する係止装置を備える。紐または棒の他端は係止装置の引き金１８に連結され、獣がエサを食しようとするとエサ部分を取付けた紐または棒が引っ張られ、係止装置の引き金１８を引き、バネの蓄勢状態を解除するように係止具９が外れるように構成している。【選択図】図１
0003190855.tif 000002
【実用新案登録請求の範囲】
【請求項１】
エサを引っ張るとエサに連結された引き金が係止具を外してバネが開放作動し、バネの開放作動に連動して括り輪のワイヤが締まるようにした括り罠。
【請求項２】
バネが捻りバネであることを特長とする請求項１記載の括り罠。
【請求項３】
バネが圧縮コイルバネであることを特徴とする請求項１記載の括り罠。
【考案の詳細な説明】
【技術分野】
【０００１】
本考案は野生動物、主として猿、アライグマや猪等の害獣を捕獲するために使用する括り罠に関するものである。
【背景技術】
【０００２】
従来の括り罠は主として猪、鹿等の野生動物を捕獲するために仕掛ける罠で、足首を括りワイヤで括って捕獲する狩猟罠である。しかし、農作物へ大きな被害を与える害獣の、足首以外を括りワイヤで括って捕獲する狩猟罠については殆んど知られておらず、猿やアライグマ等の手を使用してエサを食する野生動物の括り罠は無かった。
【先行技術文献】
【特許文献】
【０００３】
【特許文献１】特開２００１−１７０５９
【特許文献２】特開２０１３−４６５７５
【特許文献３】実用新案登録３１７９３１０
【考案の概要】
【考案が解決しようとする課題】
【０００４】
従来の括り罠は地上を歩行、走行する野生動物を捕獲するために考案されており、設置するのに落し穴を掘り、この落し穴の上に小さな踏板を設置し、その踏板の上に落ち葉や土砂等を被せて罠を覆い隠していため、設置工数が大きく、排出される土も多かった。また、係止具を動作させるためには前記の小さな踏板を踏む必要があり、野生動物に小さな踏板を踏ませるのは非常に困難であった。
ましてや、主として手を使用する猿やアライグマ等は、従来の足首を括りワイヤで括って捕獲する括り罠では捕獲することは出来なかった。
【課題を解決するための手段】
【０００５】
上記した課題に鑑み、本考案の第一の括り罠は、野生動物用のエサを使用して野生動物を誘き寄せるようにしている。地上に置いたエサを野生動物が持ち上げたとき、エサに連結された引き金が係止具を外してバネを開放動作し、括り輪のワイヤを締め込むようにバネが動作し、エサを持ち上げた野生動物の手首や口等の体の一部を括りワイヤが締め込み、野生動物を捕獲するように構成している。
例えば、地上に置いたエサを猿が手で持ち上げた場合、エサに連結された引き金がバネの係止具を外してバネを開放動作し、括り輪のワイヤを締め込むようにバネが動作し、エサを持った猿の手首とかその上部の腕を括り輪のワイヤが閉め込み、ワイヤでサルを捕獲するように構成している。
もちろん、猿以外の害獣捕獲にも有効で、猪がエサを食した場合は、猪がエサを口で持ち上げた瞬間にエサに連結された引き金がバネの係止具を外してバネを開放作動し、括り輪のワイヤを締め込むようにバネが動作してエサを銜えた猪の鼻とか、牙より上部の顔を閉め込むみ、猪を捕獲することも出来る。
【０００６】
本考案の第二の括り罠は、バネに捻りバネを使用している。このため、地上に置いたエサを猿が手で持ち上げたとき、あるいは猪がエサを口に銜えて持ち上げたとき、エサに連結
された引き金が捻りバネの係止具を外してバネを開放作動し、括り輪のワイヤを引き上げて締め込むように捻りバネが動作し、エサを持った猿の手首とかその上部の腕を、あるいは猪の鼻や牙より上部の顔を、括り輪のワイヤが閉めこむように構成している。
【０００７】
本考案の第三の括り罠は、バネに圧縮コイルバネを使用している。このため、地上に置いたエサを猿が手で持ち上げたとき、あるいは猪がエサを口に銜えて持ち上げたとき、エサに連結された引き金が圧縮コイルバネの係止具を外して開放作動し、括り輪のワイヤがジャンプして締め込むように圧縮コイルバネが動作し、エサを持った猿の手首やその上部の腕を、あるいは猪の鼻や牙より上部の顔を、括り輪のワイヤが閉めこむように構成している。
【考案の効果】
【０００８】
本考案によれば、エサを使用し、野生動物がエサを持ち上げた時にバネの復元力により野生動物の手首や鼻等を括り輪のワイヤで括るようにしているので、主として地上を歩行、走行する野生動物の他、主として手を使用して食する猿やアライグマ等を捕獲することが出来る。また、野生のハクビシン、狸等の捕獲にも効果がある。
また、野生動物が通る獣道を探して、しかも獣道の野生動物が足を踏み下ろす箇所に仕掛ける必要のあった従来の括り罠に比べ、エサを食べに来る野生動物を捕獲するため、括り罠の設置や設置場所の選定に熟練技術を必要とせず、野生動物の捕獲率が高く出来る。
【図面の簡単な説明】
【０００９】
【図１】本願考案の一実施態様を示す捻りバネを使用した括り罠の平面図（ａ）および側面図（ｂ）である。
【図２】捻りバネ使用した括り罠の要部である台座１６、引き金１８等を示すＡ―Ａ視の平面図（ａ）および側面図（ｂ）である。
【図３】跳上げアーム２の先端部を示す正面図（ａ）と側面図（ｂ）である。
【図４】本願考案の他の実施態様を示す圧縮コイルバネ使用した括り罠の平面図（ａ）および側面図（ｂ）である。
【図５】圧縮コイルバネを使用した括り罠の要部である台座１１６、引き金１１８等を示す平面図（ａ）および断面Ａ―Ａの側面図（ｂ）である。
【図６】外筒１４２の台座１１６への取付部を示す部分平面図（ａ）と側面図（ｂ）である。
【考案を実施するための形態】
【００１０】
次に、本発明を実施するための形態について、図面を参照しながら括り罠の例を説明する。ただし、以下に示す実施例は、本発明の技術思想を具体化するための括り罠の例を示すものであって、以下のものに特定するものでない。
【実施例】
【００１１】
この発明に係る括り罠において、図１はバネに捻りバネ１を使用した捻りバネ式括り罠１００の一例である。この捻りバネ式括り罠１００は各部が猿等を狩るのに極めて簡単、丈夫で且つ最適な構造をしている。捻りバネ式括り罠１００の主要部材は、跳ね上げアーム２、基アーム３および杭４から成る捻りバネ１、先端に括り輪７を有する括りワイヤ６、台座６、台座１６に回転自在に取付けられた引き金１８等から構成されている。
跳ね上げアーム２は括り輪７を瞬時に上方へ跳ね上げて締め込み、杭４は基アーム３や台
座６を所定位置に固定する。
【００１２】
引き金１８は金属板で構成し、これにエサ取付け棒２０を溶接している。エサ取り付け棒２０の先端にエサ３０を取り付ける。エサ３０が落花生等のような小さい場合は、網袋や透明なビニール袋に入れてエサ取り付け棒２０に取り付けても良い。あるいはエサ取り付け棒２０を無くして、エサ３０を網袋や透明なビニール袋に入れて縛った紐を引き金１８に穴等をあけて括り付けてもよい。
捻りバネ１は直径６ｍｍ程度の１本の鋼線からなる素線で、この鋼線をバネ強度を増強するため複数回巻回して作られたバネからなり、その一端には跳ね上げアーム２を、他端には基アーム３、基アーム３の先に同一素線を直角に折り曲げた杭４を有する。跳上げアーム２の開放状態の時は、基アーム３との開き角度は約１２０度にしている。
【００１３】
図２に係止装置を示すが、台座１６は厚さ１５ｍｍ、幅４０ｍｍで長さが１２０ｍｍ程度の木材で作られており、長方形の引き金１８の端部を引き金取付金１９で前記台座１６に回転自在に取付ける。台座１６の引き金１８側には、係止ピン１７を設けている。
引き金１８の一辺の長さ方向の中央部には、係止ピン１７を通す穴が開けられており、係止ピン１７を穴を貫通して通し、跳上げアーム２先端に取付けられた係止具９を引っかけ跳上げアーム２を係止する。
【００１４】
図３に示すように、跳上げアーム２の先端は扁平に成形し、２ｍｍ程度の穴を２つ開けてある。先端の穴は跳上げアーム２を係止する係止具９を取付ける穴、残りの１つの穴は括りワイヤ通し輪８を取付ける孔で、括りワイヤ通し輪８の内径は括りワイヤ６の外形よりも大きくしてあり、この括りワイヤ通し輪８に括りワイヤ６を通したとき括りワイヤ６が自由に動くようにしてある。括りワイヤ通し輪８と括りワイヤ６の滑りを良くするために、括りワイヤ通し輪８にチューブ等を被せる事もある。括りワイヤ通し輪８は輪の一箇所が切れており、力の強い猿や猪等が暴れた場合に括りワイヤ通し輪８が開き、括りワイヤ６と跳ね上げアーム２が外れるようにしている。
【００１５】
係止具９は、直径１．５ｍｍ程度のステンレス針金で三角形状の輪を形成している。
係止ピン１７の先端が引き金１８に開けた穴から突き出すように引き金１８を閉じ、係止具９を係止ピン１７に引っ掛けて跳上げアーム２を係止する。
【００１６】
括りワイヤ６は、直径が３〜６ｍｍ程度の撚り鋼線からなっており、その一端を地上に立てた立木等に固定し、他端を穴３１の周りに敷設する括り輪５を形成している。
括りワイヤ６は、立木等に固定した一端から括り輪５に至るまでの途中で、基アーム３にワイヤ固定部１１で固定、その次に跳上げアーム２の先端に設けた括りワイヤ取し輪８を通し、括り輪５に至っている。押え金１０は、捻りバネ式括り罠１００の設置作業中等に不用意に跳上げアーム２が動作して作業者が負傷しないよう、跳上げアーム２を借り止めする。
【００１７】
捻りバネ式括り罠１００の設置は、地面に直径２５ｃｍ、深さ５ｃｍ程度の穴３１を堀り、捻りバネ１の跳上げアーム２を押え金１０で固定し、捻りバネ１の基アーム３、台座６等を杭４で地面に掘った穴３１の傍に固定する。この時、穴３１のほぼ中央部にエサ取付
け棒に取り付けたエサ３０を置き、穴３１の周りに括り輪７を敷設する。
【００１８】
エサ３０を持ち上げた時、引き金１８が係止ピン１７から外れることを確認し、エサ３０以外の括り輪５や捻りバネ１等の上に落ち葉や土砂等を被せて罠を覆い隠す。押え金１０は跳ね上げアーム２から外す。
【００１９】
上記では、穴３１を掘ってその中にエサ３０を置いたが、エサ３０を見え易くするため、エサ取り付け棒２０を折り曲げてエサ３０を地面の高さに持ち上げてもよいし、穴３１を掘らずにエサ３０を地上面に置いてもよい。また、小さな木の棒等を括り輪５の内側に刺して、括り輪５を整形する等の工夫をしても良い。
【００２０】
次に、捻りバネ式括り罠１００の動作を説明する。猿等が落し穴３１の中に置いたエサ３０を取って持ち上げると、エサ取付け棒２０と引き金１８が図２に矢印で示す方向に同時に左回転する。引き金８が回転すると跳上げアーム２を係止している係止具９が係止ピン１７から外れ、跳上げアーム２が跳ね上がる。括りワイヤ６はワイヤ固定部１１で基アーム３に固定され、跳上げアーム２の先端部で括りワイヤ通し輪８に通されているので、ワイヤ固定部１１よりも立木等に固定した側の括りワイヤ６は動かず、括り輪５を上方へ引き上げる。その結果、括り輪５が猿の手首を締め付け、上方へ引き上げると同時に括り輪５を手首の太さまで締め込む。猿の掌は手首の太さよりも大きいため、括り輪５から抜けなくなる。
猪の場合は、鼻とか牙より上部の顔を括り輪５のワイヤが締め込み、括り輪５から抜けなくなる。
【００２１】
括りワイヤ６と基アーム３は括りワイヤ固定部１１で、跳上げアーム２とは括りワイヤ通し輪８で接合されているが、括りワイヤ固定部１１、括りワイヤ通し輪８とも開いて分離可能なので、猿や猪等が暴れると跳上げアーム２、基アーム３は括りワイヤ６から外れ、猿や猪等がこれらを引きずることがないので捻りバネ１が壊されることは無く、また、猿や猪等を傷つけることも無くなる。
括りワイヤ６の一端は強固な立ち木等に固定されているので、猿や猪等が暴れても逃れることは出来ない。
【００２２】
図４は、この考案に係る圧縮コイルバネ式括り罠２００の一例を示す。この圧縮コイルバネ１０１を使用した圧縮コイルバネ式括り罠２００は各部が猿等を狩るのに極めて簡単、丈夫で且つ最適な構造をしている。圧縮コイルバネ式括り罠２００は、括りワイヤ１０６、瞬時に括り輪１０７を絞り込むための圧縮コイルバネ装置１４０、エサ１３０を取付けたエサ取り付け棒１２０の一方を支持する引き金１１８を取付けた台座６等から構成されている。圧縮コイルバネ装置１４０の主要部は、外筒１４２、この外筒１４２に圧縮コイルバネ１０１を圧縮収納するバネ押え金１４３、このバネ押え金１４３を外筒に固定する押え金１１０等から構成されている。  
【００２３】
圧縮コイルバネ１０１の長さは、括り輪１０７の大きさによって決まり、ワイヤストッパー１１１を基準点としてバネ押え金１４３を押し上げた時、括り輪１０７を完全に締め込める以上の長さとしている。
【００２４】
図５に示すように台座１１６の一面に引き金１１８の端部を2つの引き金取付金１１９で回転自在に取付けている。
図６に示すように、台座６は厚さ１５ｍｍ、幅４０ｍｍで長さが１００ｍｍ程度の木材で作られており、外筒１４２に外筒押え金１２２を使って皿ネジ１２３と蝶ナット１２４で強固に固定される。
圧縮コイルバネ式括り罠２００は、台座１１６取付けた外筒１４２を地上に掘った穴１３１の傍に固定する。この時、引き金１１８に取り付けられているエサ取付け棒１２０に取付けたエサ１３０が、穴１３１のほぼ中央部に来るように設置する。
【００２５】
図５に係止装置を示すが、バネ押え金１４３の一側に開けた穴１１２、外筒１４２の一側に開けた穴１１３、台座に開けた穴１１４、引き金１１８の長さ方向中央部に開けた穴１１５の4つの穴に係止具１１７通して圧縮コイルバネ１０１を圧縮状態に係止する。係止具１１７は直径２ｍｍ程度の鋼線で作ってある。係止具１１７は引き金１１８に係止具止金１４１で保持されている。係止具１１７の円形部は引き金１１８の穴１１５よりも大きく、引き金１１８が回転したとき、引き金１１８に引かれてバネ押え金１４３および外筒１４２にあけた穴１１２、１１３から引き抜かれる。
【００２６】
圧縮コイルバネ式括り罠２００は、押え金１１０を外筒１４２とバネ押え金１４３に通して安全な状態にし、引き金１１８に開けた穴１１５等の4つの穴に係止具１１７を通してバネ押え金１４３を固定し、地上に掘った穴１３１の周囲に括り輪１０５を配置し、エサ１３０以外の括り輪１０５や圧縮コイルバネ装置１４０等の上に落ち葉や土砂等を被せて罠を覆い隠して設置する。最後に押え金１１０を外筒１４２から引き抜いて外す。
【００２７】
括りワイヤ１０６は、立木等に固定した一端から括り輪１０５に至るまでの途中、外筒１４２の底外部でワイヤストッパー１１１を固着し、その次に外筒１４２の内側に挿入されたバネ押え金１４３の中心軸に開けられた穴１４４を通り、括り輪１０５に至っている。押え金１１０は２ｍｍ程度の鋼線で出来ており、バネ押え金１４３に開けた穴と外筒１４２に開けた穴（図示せず）に挿入し、ジャンプ式括り罠の設置作業中等に不用意に押しバネが動作して作業者が負傷しないよう、圧縮コイルバネ１０１を止めている。
【００２８】
次に、圧縮コイルバネ式括り罠２００の動作を説明する。猿が落し穴１３１の中に置いたエサ１３０を取って持ち上げると、エサ取付け棒１２０と引き金１１８が図５に矢印で示す方向に同時に左回転する。引き金１１８が回転するとバネ押え金１４３の係止具１１７が穴から引き抜かれて係止が外れ、圧縮コイルバネ１０１がバネ押え金１４３と共に括りワイヤ１０６に導かれて跳ね上がる。括りワイヤ１０６はワイヤストッパー１１１で外筒１４２の底外部で固定され、先端近傍でバネ押え金１４３に通されているので、括り輪１０５を瞬時に絞り込み猿の手首を捕捉する。括りワイヤ１０６は括りワイヤストッパー１１１で一端を固定されているので、圧縮コイルバネ１０６は猿等の手首を支点とすること無く、括りワイヤ１０６の固定されている側と反対側、即ち、猿の手首の方向に向ってバネ押え金１４３を押し上げ、括り輪１０５を締める方向に跳ね上がる。
その結果、前記括り輪１０５が猿の手首を掛けたまま上方へ押し上がるのと同時に括り輪１０５を手首の太さまで締め込む。
よって、猿の手首が引っかかり、掌が手首よりも大きいため、手首が括り輪１０５から抜けなくなる。
猪の場合は、鼻や牙より上部の顔を括り輪１０５のワイヤが締め込み、括り輪５から抜けなくなる。
括りワイヤ１０６の他端は強固な立ち木等に固定されているので、猿や猪等が暴れても逃れることは出来ない。
【産業上の利用可能性】
【００２９】
本発明の害獣捕獲用括り罠は、猿や猪等の野生動物を捕獲するための括り罠で、特に猿の捕獲に有用で、確実に目的とする害獣の手首や体の一部を括って捕らえることが可能であり、猟銃などが使えない場所でも使用できる。
【符号の説明】
【００３０】
１  捻りバネ
２  跳ね上げアーム
３  基アーム
４  杭
６  括りワイヤ
７  括り輪
８  括りワイヤ通し輪
９  係止具
１０  押え金  
１１  ワイヤ固定部
１６  台座
１７  係止具
１８  引き金
１９  引き金取付金
２０  エサ取付け棒
２２  杭押え金
２３  皿ネジ
２４  蝶ナット
３０  エサ
３１  地面に掘った穴
１００  捻りバネ式括り罠
１０１  圧縮コイルバネ
１０６  括りワイヤ
１０７  括り輪
１１０  押え金  
１１１  ワイヤストッパー
１１２  バネ押え金に開けた穴
１１３  外筒に開けた穴
１１４  台座に開けた穴
１１５  引き金に開けた穴
１１６  台座
１１７  係止具
１１８  引き金
１１９  引き金取付金
１２０  エサ取付け棒
１２２  外筒押え金
１２３  皿ネジ
１２４  蝶ナット
１３０  エサ
１３１  地面に掘った穴
１４０  圧縮コイルバネ装置
１４１  係止具止め金
１４２  外筒
１４３  バネ押え金
１４４  ワイヤを通す中心穴
２００  圧縮コイルバネ式括り罠
【図１】
0003190855.tif 000003
【図２】
0003190855.tif 000004
【図３】
0003190855.tif 000005
【図４】
0003190855.tif 000006
【図５】
0003190855.tif 000007
【図６】
0003190855.tif 000008
【手続補正書】
【提出日】平成26年3月24日(2014.3.24)
【手続補正１】
【補正対象書類名】実用新案登録請求の範囲
【補正対象項目名】全文
【補正方法】変更
【補正の内容】
【実用新案登録請求の範囲】
【請求項１】
紐又は棒の一端に取付けられたエサ部分と、
先端部が締め込み可能な環状の括り輪となっており、この括り輪は前記エサ部分の外周に位置するように配置され、他端は立木等に縛りつけられる括りワイヤと、
固定部と移動部を有するバネが蓄勢された状態で係止され、移動部の先端部近傍に前記括りワイヤの括り輪近傍が取付けられたバネ機構と、
前記バネ機構の固定部近傍にバネの蓄勢状態を解除しないように係止する係止装置を備え、
前記紐または棒の他端は前記係止装置の引き金に連結され、
獣がエサを食しようとするとエサ部分を取付けた紐または棒が引っ張られ、前記係止装置の引き金を引き、バネの蓄勢状態を解除するように係止具が外れるように構成していることを特長とする括り罠、
【請求項２】
バネ機構は、コイル状に巻回された捻りバネ部を中央部に有し、
その一端が固定部の基アーム、他端が移動部である跳ね上げアームを構成し、
夫々の先端部同士が相互に近接するように蓄勢されて設置され、
跳ね上げアームの先端部に捕獲用ワイヤの括り輪の近傍が取付けられた
捻りバネであることを特長とする請求項１記載の括り罠。
【請求項３】
バネ機構は、コイル状に巻回された圧縮コイルバネを、
底部のある外筒にバネ押え金で直線状に蓄勢して収納し、
底部と反対側の外筒の開口側にある前記圧縮コイルバネの移動部側のバネ押え金に括りワイヤの括り輪の近傍が取付けられた、
圧縮コイルバネであることを特徴とする請求項１記載の括り罠。
【手続補正２】
【補正対象書類名】明細書
【補正対象項目名】００３０
【補正方法】変更
【補正の内容】
【００３０】
１  捻りバネ
２  跳ね上げアーム
３  基アーム
４  杭
６  括りワイヤ
７  括り輪
８  括りワイヤ通し輪
９  係止具
１０  押え金  
１１  ワイヤ固定部
１６  台座
１７  係止ピン
１８  引き金
１９  引き金取付金
２０  エサ取付け棒
２２  杭押え金
２３  皿ネジ
２４  蝶ナット
３０  エサ
３１  地面に掘った穴
１００  捻りバネ式括り罠
１０１  圧縮コイルバネ
１０６  括りワイヤ
１０７  括り輪
１１０  押え金  
１１１  ワイヤストッパー
１１２  バネ押え金に開けた穴
１１３  外筒に開けた穴
１１４  台座に開けた穴
１１５  引き金に開けた穴
１１６  台座
１１７  係止具
１１８  引き金
１１９  引き金取付金
１２０  エサ取付け棒
１２２  外筒押え金
１２３  皿ネジ
１２４  蝶ナット
１３０  エサ
１３１  地面に掘った穴
１４０  圧縮コイルバネ装置
１４１  係止具止め金
１４２  外筒
１４３  バネ押え金
１４４  ワイヤを通す中心穴
２００  圧縮コイルバネ式括り罠